(57)【要約】【課題】表示装置において画質を向上させる。【解決手段】表示パネルは、パネル基板とフィルムとを具備する。この表示パネルにおいて、パネル基板には、光を発する複数の発光素子が設けられる。また、表示パネルにおいて、フィルムは、所定の屈折率の部材からなり、複数の発光素子のうちパネル基板の端部に最も近い発光素子から端部までの基板端距離と前記光の明るさが一定の基準を満たす視野のなす角度である視野角と前記屈折率とに応じた膜厚のフィルムである。【選択図】図４
2015184431.tif 000002
【特許請求の範囲】
【請求項１】
光を発する複数の発光素子が設けられたパネル基板と、
所定の屈折率の部材からなり、前記複数の発光素子のうち前記パネル基板の端部に最も近い発光素子から前記端部までの基板端距離と前記光の明るさが一定の基準を満たす視野のなす角度である視野角と前記屈折率とに応じた膜厚のフィルムと
を具備する表示パネル。
【請求項２】
前記膜厚は、前記基板端距離が短いほど薄い一定値に設定される
請求項１記載の表示パネル。
【請求項３】
前記膜厚は、前記屈折率が大きいほど薄い一定値に設定される
請求項１記載の表示パネル。
【請求項４】
前記膜厚は、前記視野角が大きいほど薄い一定値に設定される
請求項１記載の表示パネル。
【請求項５】
前記膜厚は、当該膜厚をｔｆ１とし、前記基板端距離をＹ１とし、前記屈折率をＮｆとし、前記視野角をＶとし、Ｖ・π／１８０により表される係数をｋとして
ｔｆ１≦Ｙ１・［−Ｓｉｎ｛（π−ｋ）／２｝］1/2／
［−ｎｆ＋Ｓｉｎ｛（π―ｋ）／２｝］1/2
の式により決定された値である
請求項１記載の表示パネル。
【請求項６】
前記フィルムの側面を遮光する側面遮光部と、
前記フィルムの表面において前記発光素子と前記端部との間の特定の位置から前記端部までの範囲を遮光する表面遮光部と
をさらに具備する請求項１記載の表示パネル。
【請求項７】
前記膜厚は、前記特定の位置から前記端部までの距離である回り込み量が大きいほど薄い一定値に設定される
請求項６記載の表示パネル。
【請求項８】
前記膜厚は、当該膜厚をｔｆ２とし、前記基板端距離をＹ１とし、前記屈折率をＮｆとし、前記視野角をＶとし、Ｖ・π／１８０により表される係数をｋとし、前記回り込み量をＹ２として
ｔｆ２≦（Ｙ１−Ｙ２）・｛ｎｆ−Ｓｉｎ（ｋ／２）｝1/2／Ｓｉｎ（ｋ／２）
の式により決定された値である
請求項７記載の表示パネル。
【請求項９】
前記膜厚は、当該膜厚をｔｆ２とし、前記基板端距離をＹ１とし、前記屈折率をＮｆとし、前記視野角をＶとし、Ｖ・π／１８０により表される係数をｋとし、前記回り込み量をＹ２とし、前記表面遮光部の高さをｔｐとして
ｔｆ２≦｛Ｙ１−Ｙ２＋ｔｐＴａｎ（ｋ／２）｝・｛ｎｆ−Ｓｉｎ（ｋ／２）｝1/2／
Ｓｉｎ（ｋ／２）
の式により決定された値である
請求項７記載の表示パネル。
【請求項１０】
前記フィルムの側面を遮光する側面遮光部と、
前記発光素子と前記端部との間の特定の位置から前記端部までの範囲において角取りにより前記フィルムに形成された角取り面を遮光する角取り面遮光部と
をさらに具備する請求項１記載の表示パネル。
【請求項１１】
前記膜厚は、前記特定の位置から前記端部までの距離である角取り距離が大きいほど薄い一定値に設定される
請求項１０記載の表示パネル。
【請求項１２】
前記膜厚は、当該膜厚をｔｆ３とし、前記基板端距離をＹ１とし、前記屈折率をＮｆとし、前記視野角をＶとし、Ｖ・π／１８０により表される係数をｋとし、前記角取り距離をＹ２'として
ｔｆ≦（Ｙ１−Ｙ２'）・｛ｎｆ−Ｓｉｎ（ｋ／２）｝1/2／Ｓｉｎ（ｋ／２）
の式により決定された値である
請求項１１記載の表示パネル。
【請求項１３】
前記膜厚は、当該膜厚をｔｆ３とし、前記基板端距離をＹ１とし、前記屈折率をＮｆとし、前記視野角をＶとし、Ｖ・π／１８０により表される係数をｋとし、前記角取り距離をＹ２'とし、前記フィルムの表面に対する前記角取り面遮光部の一端の高さをｔｐ'として、
ｔｆ≦｛Ｙ１−Ｙ２' ＋ｔｐ'Ｔａｎ（ｋ／２）｝・｛ｎｆ−Ｓｉｎ（ｋ／２）｝1/2／
Ｓｉｎ（ｋ／２）
の式により決定された値である
請求項１１記載の表示パネル。
【請求項１４】
光を発する複数の発光素子が設けられたパネル基板と、所定の屈折率の部材からなり、前記複数の発光素子のうち前記パネル基板の端部に最も近い発光素子から前記端部までの基板端距離と前記光の明るさが一定の基準を満たす視野のなす角度である視野角と前記屈折率とに応じた膜厚のフィルムとをそれぞれが備える複数の表示パネルと、
前記複数の表示パネルを制御する制御部と
を具備する表示装置。
【請求項１５】
光を発する複数の発光素子が設けられたパネル基板と、所定の屈折率の部材からなり、前記複数の発光素子のうち前記パネル基板の端部に最も近い発光素子から前記端部までの基板端距離と前記光の明るさが一定の基準を満たす視野のなす角度である視野角と前記屈折率とに応じた膜厚のフィルムとをそれぞれが備える複数の照明パネルと、
前記複数の照明パネルを制御する制御部と
を具備する照明装置。
【発明の詳細な説明】
【技術分野】
【０００１】
本技術は、表示パネル、表示装置および照明装置に関する。詳しくは、保護フィルムに覆われた表示パネル、表示装置および照明装置に関する。
【背景技術】
【０００２】
従来より、表示装置においては画面サイズを大きくする目的で、複数の表示パネルを配列したタイリングディスプレイが用いられることがある。例えば、矩形の台座において２次元格子状に複数の表示パネルを一定の間隔で配列したタイリングディスプレイが提案されている（例えば、特許文献１参照。）。このようなタイリングディスプレイにおいて、それぞれの表示パネルは、表示パネル上の回路や素子を水分や埃から保護するために透明なフィルムにより覆われることがある。
【先行技術文献】
【特許文献】
【０００３】
【特許文献１】特開２０１１−４７９７７号公報
【発明の概要】
【発明が解決しようとする課題】
【０００４】
しかしながら、上述の表示パネルでは、フィルムが比較的厚いと、そのフィルムの表面の他、フィルムの側面からも光が出力される。このため、視聴者が、表示パネルに対して一定角度より小さい角度から観察した際に、表面からの光に加えて側面からの光が目に入り、表示パネルの端部が他の部分より明るく見えるおそれがある。このような明るさの差により輝度ムラが生じ、視野角内において画質が低下する問題がある。
【０００５】
本技術はこのような状況に鑑みて生み出されたものであり、表示装置において画質を向上させることを目的とする。
【課題を解決するための手段】
【０００６】
本技術は、上述の問題点を解消するためになされたものであり、その第１の側面は、光を発する複数の発光素子が設けられたパネル基板と、所定の屈折率の部材からなり、上記複数の発光素子のうち上記パネル基板の端部に最も近い発光素子から上記端部までの基板端距離と上記光の明るさが一定の基準を満たす視野のなす角度である視野角と上記屈折率とに応じた膜厚のフィルムとを具備する表示パネルである。これにより、基板端距離と視野角と屈折率とに応じた膜厚のフィルムが設けられるという作用をもたらす。
【０００７】
また、この第１の側面において、上記膜厚は、上記基板端距離が短いほど薄い一定値に設定されてもよい。これにより、基板端距離が短いほど薄い膜厚のフィルムが設けられるという作用をもたらす。
【０００８】
また、この第１の側面において、上記膜厚は、上記屈折率が大きいほど薄い一定値に設定されてもよい。これにより、屈折率が大きいほど薄い膜厚のフィルムが設けられるという作用をもたらす。
【０００９】
また、この第１の側面において、上記膜厚は、上記視野角が大きいほど薄い一定値に設定されてもよい。これにより、視野角が大きいほど薄い膜厚のフィルムが設けられるという作用をもたらす。
【００１０】
また、この第１の側面において、上記膜厚は、当該膜厚をｔｆ１とし、上記基板端距離をＹ１とし、上記屈折率をＮｆとし、上記視野角をＶとし、Ｖ・π／１８０により表される係数をｋとしてｔｆ１≦Ｙ１・［−Ｓｉｎ｛（π−ｋ）／２｝］1/2／［−ｎｆ＋Ｓｉｎ｛（π―ｋ）／２｝］1/2の式により決定された値であってもよい。これにより、ｔｆ１≦Ｙ１・［−Ｓｉｎ｛（π−ｋ）／２｝］1/2／［−ｎｆ＋Ｓｉｎ｛（π―ｋ）／２｝］1/2の式により決定された膜厚のフィルムが設けられるという作用をもたらす。
【００１１】
また、この第１の側面において、上記フィルムの側面を遮光する側面遮光部と、上記フィルムの表面において上記発光素子と上記端部との間の特定の位置から上記端部までの範囲を遮光する表面遮光部とをさらに具備してもよい。これにより、フィルムの側面が遮光され、フィルムの表面において特定の位置から端部までの範囲が遮光されるという作用をもたらす。
【００１２】
また、この第１の側面において、上記膜厚は、上記特定の位置から上記端部までの距離である回り込み量が大きいほど薄い一定値に設定されてもよい。これにより、回り込み量が大きいほど薄い膜厚のフィルムが設けられるという作用をもたらす。
【００１３】
また、この第１の側面において、上記膜厚は、当該膜厚をｔｆ２とし、上記基板端距離をＹ１とし、上記屈折率をＮｆとし、上記視野角をＶとし、Ｖ・π／１８０により表される係数をｋとし、上記回り込み量をＹ２としてｔｆ２≦（Ｙ１−Ｙ２）・｛ｎｆ−Ｓｉｎ（ｋ／２）｝1/2／Ｓｉｎ（ｋ／２）の式により決定された値であってもよい。これにより、ｔｆ２＝（Ｙ１−Ｙ２）・｛ｎｆ−Ｓｉｎ（ｋ／２）｝1/2／Ｓｉｎ（ｋ／２）の式により決定された膜厚のフィルムが設けられるという作用をもたらす。
【００１４】
また、この第１の側面において、上記膜厚は、当該膜厚をｔｆ２とし、上記基板端距離をＹ１とし、上記屈折率をＮｆとし、上記視野角をＶとし、Ｖ・π／１８０により表される係数をｋとし、上記回り込み量をＹ２とし、上記表面遮光部の高さをｔｐとしてｔｆ２≦｛Ｙ１−Ｙ２＋ｔｐＴａｎ（ｋ／２）｝・｛ｎｆ−Ｓｉｎ（ｋ／２）｝1/2／Ｓｉｎ（ｋ／２）の式により決定された値であってもよい。これにより、ｔｆ２＝｛Ｙ１−Ｙ２＋ｔｐＴａｎ（ｋ／２）｝・｛ｎｆ−Ｓｉｎ（ｋ／２）｝1/2／Ｓｉｎ（ｋ／２）の式により決定された膜厚のフィルムが設けられるという作用をもたらす。
【００１５】
また、この第１の側面において、上記フィルムの側面を遮光する側面遮光部と、上記発光素子と上記端部との間の特定の位置から上記端部までの範囲において角取りにより上記フィルムに形成された角取り面を遮光する角取り面遮光部とをさらに具備してもよい。これにより、フィルムの側面が遮光され、角取り面が遮光されるという作用をもたらす。
【００１６】
また、この第１の側面において、上記膜厚は、上記特定の位置から上記端部までの距離である角取り距離が大きいほど薄い一定値に設定されてもよい。これにより、角取り距離が大きいほど薄い膜厚のフィルムが設けられるという作用をもたらす。
【００１７】
また、この第１の側面において、上記膜厚は、当該膜厚をｔｆ３とし、上記基板端距離をＹ１とし、上記屈折率をＮｆとし、上記視野角をＶとし、Ｖ・π／１８０により表される係数をｋとし、上記角取り距離をＹ２'としてｔｆ≦（Ｙ１−Ｙ２'）・｛ｎｆ−Ｓｉｎ（ｋ／２）｝1/2÷Ｓｉｎ（ｋ／２）の式により決定された値であってもよい。これにより、ｔｆ＝（Ｙ１−Ｙ２'）・｛ｎｆ−Ｓｉｎ（ｋ／２）｝1/2／Ｓｉｎ（ｋ／２）の式により決定された膜厚のフィルムが設けられるという作用をもたらす。
【００１８】
また、この第１の側面において、上記膜厚は、当該膜厚をｔｆ３とし、上記基板端距離をＹ１とし、上記屈折率をＮｆとし、上記視野角をＶとし、Ｖ・π／１８０により表される係数をｋとし、上記角取り距離をＹ２'とし、上記フィルムの表面に対する上記角取り面遮光部の一端の高さをｔｐ'として、ｔｆ≦｛Ｙ１−Ｙ２' ＋ｔｐ'Ｔａｎ（ｋ／２）｝×｛ｎｆ−Ｓｉｎ（ｋ／２）｝1/2／Ｓｉｎ（ｋ／２）の式により決定された値であってもよい。これにより、ｔｆ＝｛Ｙ１−Ｙ２' ＋ｔｐ'Ｔａｎ（ｋ／２）｝×｛ｎｆ−Ｓｉｎ（ｋ／２）｝1/2／Ｓｉｎ（ｋ／２）の式により決定された膜厚のフィルムが設けられるという作用をもたらす。
【００１９】
また、本技術の第２の側面は、光を発する複数の発光素子が設けられたパネル基板と、所定の屈折率の部材からなり、上記複数の発光素子のうち上記パネル基板の端部に最も近い発光素子から上記端部までの基板端距離と上記光の明るさが一定の基準を満たす視野のなす角度である視野角と上記屈折率とに応じた膜厚のフィルムとをそれぞれが備える複数の表示パネルと、上記複数の表示パネルを制御する制御部とを具備する表示装置である。これにより、基板端距離と視野角と屈折率とに応じた膜厚のフィルムが設けられるという作用をもたらす。
【００２０】
また、本技術の第２の側面は、光を発する複数の発光素子が設けられたパネル基板と、所定の屈折率の部材からなり、上記複数の発光素子のうち上記パネル基板の端部に最も近い発光素子から上記端部までの基板端距離と上記光の明るさが一定の基準を満たす視野のなす角度である視野角と上記屈折率とに応じた膜厚のフィルムとをそれぞれが備える複数の照明パネルと、上記複数の照明パネルを制御する制御部とを具備する照明装置である。これにより、基板端距離と視野角と屈折率とに応じた膜厚のフィルムが設けられるという作用をもたらす。
【発明の効果】
【００２１】
本技術によれば、表示装置において画質を向上させることができるという優れた効果を奏し得る。なお、ここに記載された効果は必ずしも限定されるものではなく、本開示中に記載されたいずれかの効果であってもよい。
【図面の簡単な説明】
【００２２】
【図１】第１の実施の形態における表示装置の一構成例を示すブロック図である。
【図２】第１の実施の形態における表示部の上面図の一例である。
【図３】第１の実施の形態における表示部の断面図の一例である。
【図４】第１の実施の形態における表示パネルの断面図の一例である。
【図５】第１の実施の形態における保護フィルムの表面および側面からの発光について説明する図である。
【図６】第１の実施の形態における表示パネルの断面の拡大図の一例である。
【図７】第１の実施の形態におけるフィルム膜厚と視野角との間の関係の一例を示すグラフである。
【図８】第２の実施の形態における表示パネルの断面の拡大図の一例である。
【図９】第２の実施の形態の変形例における回り込み量と視野角との間の関係の一例を示すグラフである。
【図１０】第３の実施の形態における表示パネルの断面の拡大図の一例である。
【発明を実施するための形態】
【００２３】
以下、本技術を実施するための形態（以下、実施の形態と称する）について説明する。説明は以下の順序により行う。
１．第１の実施の形態（基板端距離、視野角および屈折率に応じた膜厚にする例）
２．第２の実施の形態（遮光部を設けて基板端距離、視野角および屈折率に応じた膜厚にする例）
３．第３の実施の形態（角取りを行って基板端距離、視野角および屈折率に応じた膜厚にする例）
４．変形例
【００２４】
＜１．第１の実施の形態＞
［表示装置の構成例］
図１は、実施の形態における表示装置１００の一構成例を示すブロック図である。この表示装置１００は、動画や静止画を表示する装置であり、制御部１１０および表示部２００を備える。
【００２５】
制御部１１０は、表示装置１００全体を制御するものである。この制御部１１０は、タイミング信号や画素信号などの制御信号と電源信号とを生成し、それらの信号を表示部２００に信号線１１９を介して供給する。ここで、タイミング信号は、例えば、水平同期信号や垂直同期信号を含む。また、画素信号は、例えば、Ｒ（Red）、Ｇ(Green)およびＢ(Blue)のそれぞれの階調を示す信号を含む。表示部２００は、制御部１１０の制御に従って動画等を表示するものである。
【００２６】
［表示部の構成例］
図２は、第１の実施の形態における表示部２００の上面図の一例である。表示部２００は、複数の表示パネル２１０とベース基板２２０とを備える。ベース基板２２０は、表示パネル２１０より大きな矩形の基板である。表示パネル２１０は、画像の一部を表示する矩形のパネルである。これらの表示パネル２１０は、ベース基板２２０において、二次元格子状に配列される。表示パネル２１０のそれぞれとベース基板２２０とは、接着剤などにより接合される。また、隣り合う２枚の表示パネル２１０の間には、スペーサを配置するため、あるいは、接着剤の逃げ場所を確保するために、一定の間隔が設けられる。
【００２７】
図３は、第１の実施の形態における表示部２００の断面図の一例である。同図に例示するように、ベース基板２２０の上には、一定の間隔を空けて、複数の表示パネル２１０が配列される。
【００２８】
［表示パネルの構成例］
図４は、第１の実施の形態における表示パネル２１０の断面図の一例である。この表示パネル２１０は、保護フィルム２１１と、複数の発光素子２１２と、パネル基板２１３とを備える。
【００２９】
パネル基板２１３は、発光素子２１２を配置するための矩形の基板である。発光素子２１２は、制御部１１０からの制御信号に従って発光するものである。発光素子２１２として、例えば、発光ダイオードが用いられる。また、発光素子２１２のそれぞれは、例えば、Ｒ、ＧおよびＢのいずれかの特定の波長で発光する。また、これらの発光素子２１２は、パネル基板２１３において、例えば、２次元格子上に配列される。
【００３０】
保護フィルム２１１は、パネル基板２１３を覆い、パネル基板２１３上の回路や素子を水分や埃から保護する透明なフィルムである。この保護フィルム２１１は、例えば、透明樹脂によりパネル基板２１３をコーティングすることにより形成される。保護フィルム２１１は、封止フィルムとも呼ばれる。なお、保護フィルム２１１は、特許請求の範囲に記載のフィルムの一例である。
【００３１】
ここで、表示装置において、明るさが一定の基準を満たす視野のなす角度は、一般に視野角と呼ばれる。視野角の単位は、例えば、「度」である。例えば、様々な角度において、輝度の最大値と最小値との比であるコントラスト比が測定装置により予め測定され、コントラスト比が所定値（１０：１など）以上となる視野のなす角度が視野角として求められる。また、視野角は、水平方向の水平視野角と、垂直方向の垂直視野角とに分類される。
【００３２】
また、前述したように、表示パネル２１０は、一定の間隔を空けて配列されているため、発光素子２１２からの光は、透明な保護フィルム２１１の表面のほか、側面からも出力される。保護フィルム２１１の膜厚は、その側面からの光が、視野角内において観察されないような値に設計される。
【００３３】
なお、上述の表示パネル２１０を表示装置１００に設ける構成としているが、この表示パネル２１０と同じ構成の複数のパネルを照明パネルとして照明装置に設ける構成であってもよい。この場合、発光素子２１２は全て同じ波長で発光する。また、それらの照明パネルが配列された発光部が制御部１１０とともに照明装置に設けられる。また、制御部１１０は、その発光部の発光動作を制御する制御信号を生成して電源信号とともに発光部に送信する。例えば、タイミング信号や階調を示す階調信号などが制御信号として生成される。
【００３４】
図５は、第１の実施の形態における保護フィルム２１１の表面および側面からの発光について説明する図である。同図におけるａは、視聴者が、表示パネル２１０の表面に対して垂直な方向（言い換えれば、正面）から表示パネル２１０を見た際に、観察される光の一例を示す図である。同図におけるａに例示するように、正面から見た際には、発光素子２１２のそれぞれが発した光は、保護フィルム２１１の表面のみで屈折して視聴者の目に届く。これらの光の強度は略均等であるため、輝度ムラが生じない。
【００３５】
一方、同図におけるｂは、視聴者が、表示パネル２１０の表面に対して一定の角度をなす方向から表示パネル２１０を見た際に、観察される光の一例を示す図である。同図のｂにおいて、細い実線は保護フィルム２１１の表面で屈折した光であり、太い実線は、側面で屈折した光である。同図におけるｂに示すように、ある角度から視聴者が観察した際には、パネル基板２１３の表面に平行な所定の軸上において、基板端に最も近い発光素子２１２からの光が表面および側面の両方で屈折し、それらの屈折光がいずれも視聴者の目に届く。このため、表示パネル２１０の端部が他の部分と比較して明るく見え、輝度ムラが生じる。保護フィルム２１１の膜厚は、このような輝度ムラが、視野角内で生じないような値に設定される。
【００３６】
図６は、第１の実施の形態における表示パネル２１０の断面の拡大図の一例である。同図に示すように、保護フィルム２１１の側面に光が入射して屈折し、その入射角と屈折角との間の関係は、スネルの法則により次の式で表される。
ｎｆ・Ｓｉｎ（Ｉｎ１）＝ｎａ・Ｓｉｎ（Ｒｅｆ１）                  ・・・式１
上式において、ｎｆは、保護フィルム２１１の屈折率であり、Ｉｎ１は保護フィルム２１１の側面に入射される光の入射角の最小値である。また、Ｓｉｎ（）は、正弦関数である。また、ｎａは、空気の屈折率であり、Ｒｅｆ１は、保護フィルム２１１の側面で屈折した光の屈折角の最大値である。Ｉｎ１およびＲｅｆ１の単位は、例えば、「度」である。
【００３７】
ｎａを１とすると、式１は、次式に変形することができる。
Ｒｅｆ１＝ＡｒｃＳｉｎ｛ｎｆ×Ｓｉｎ（Ｉｎ１）｝                  ・・・式２
上式において、ＡｒｃＳｉｎは、正弦関数の逆関数である。
【００３８】
また、三角関数の公式により、次の関係式が導かれる。
ｔｆ１／Ｙ１＝Ｔａｎ（Ｉｎ１）                                    ・・・式３
上式において、ｔｆ１は、保護フィルム２１１のフィルム膜厚である。また、Ｙ１は、パネル基板２１３の表面に平行な所定の軸上において、基板端に最も近い発光素子２１２の代表位置から基板端までの距離（以下、「基板端距離」と称する。）である。この代表位置として、例えば、基板端に近い方の発光素子２１２の端部、基板端から遠い方の発光素子２１２の端部、および、発光素子２１２の中央のいずれかの位置が用いられる。また、Ｔａｎ（）は、正接関数である。ｔｆ１およびＹ１の単位は、例えば、マイクロメートル（μｍ）である。
【００３９】
式３は、次式に変形することができる。
Ｉｎ１＝ＡｒｃＴａｎ（ｔｆ１／Ｙ１）                              ・・・式４
上式において、ＡｒｃＴａｎ（）は、正接関数の逆関数である。
【００４０】
そして、式２および式４から次の関係式が導かれる。
Ｒｅｆ１＝ＡｒｃＳｉｎ［ｎｆ・ｓｉｎ｛（ＡｒｃＴａｎ（ｔｆ１／Ｙ１）｝］  …式５
【００４１】
一方、視野角は、次の式により表すことができる。
Ｖ＝１８０−２・（Ｒｅｆ１）                                      ・・・式６
上式において、Ｖは、視野角であり、単位は、例えば、「度」である。前述したように、視野角には水平視野角と垂直視野角とがあるが、上式において例えば、水平視野角が視野角Ｖとして用いられる。なお、垂直視野角を用いてもよい。あるいは、水平視野角および垂直視野角のうち大きい方を用いてもよい。
【００４２】
式５および式６から、次の式が導かれる。
ｋ＝Ｖ・π／１８０                                              ・・・式７
【数１】
2015184431.tif 000003
上式より、フィルム膜厚ｔｆ１は、基板端距離Ｙ１が短いほど、視野角Ｖが大きいほど、また、屈折率ｎｆが大きいほど薄い値に決定される。フィルム膜厚ｔｆ１を上式の示す値以下の膜厚とすることにより、視野角内での側面からの光の漏出を抑制することができる。これにより、輝度ムラが生じなくなり、画質を向上させることができる。
【００４３】
図７は、第１の実施の形態におけるフィルム膜厚と視野角との間の関係の一例を示すグラフである。同図において、縦軸は、保護フィルム２１１のフィルム膜厚ｔｆ１であり、横軸は、視野角Ｖである。同図は、基板端距離Ｙ１を３００（μｍ）とし、屈折率ｎｆを１．５３として、視野角Ｖごとに式７および式８より求めた膜圧ｔｆ１をプロットしたものである。同図に示すように、視野角Ｖが大きいほど薄いフィルム膜厚ｔｆ１が設定される。
【００４４】
このように、本技術の第１の実施の形態によれば、保護フィルム２１１の膜厚が、基板端距離と視野角と屈折率とに応じた値であるため、視野角内での保護フィルム２１１の側面からの光の漏出を抑制することができる。これにより、画質を向上させることができる。
【００４５】
＜２．第２の実施の形態＞
第１の実施の形態においては、保護フィルム２１１の側面には何も設けていなかったが、側面付近に遮光塗料を塗布して遮光部を形成すれば、より確実に側面からの発光を抑制することができる。第２の実施の形態の表示装置１００は、遮光部を設けた点において第１の実施の形態と異なる。
【００４６】
図８は、第２の実施の形態における表示パネル２１０の断面の拡大図の一例である。表示部２００は、側面遮光部２１４および表面遮光部２１５をさらに備える点において第１の実施の形態と異なる。ただし、ベース基板２２０の外周に少なくとも一辺が接する表示パネル２１０においては、その外周に接する辺において、遮光部２１４および表面遮光部２１５が設けられない。ベース基板２２０の外周にはベゼルが設けられており、保護フィルム２１１の側面は、そのベゼルにより遮光されるためである。
【００４７】
側面遮光部２１４は、保護フィルム２１１の側面を遮光するものである。また、表面遮光部２１５は、保護フィルム２１１の表面において、基板端に最も近い発光素子２１２とパネル基板２１３の基板端との間の特定の位置から基板端までの範囲を遮光するものである。その特定の位置から基板端までの距離を以下、「回り込み量」と称する。
【００４８】
側面遮光部２１４は、例えば、塗布装置が、可視光を遮光する遮光塗料を側面にローラーなどで塗布する方式により形成される。また、側面遮光部２１４は、例えば、遮光塗料を微滴化して表面に直接吹き付けるインクジェット方式により形成される。
【００４９】
なお、側面遮光部２１４および表面遮光部２１５のそれぞれの塗布方式が異なるが、同じ方式により塗布してもよい。これらの側面遮光部２１４および表面遮光部２１５を形成する遮光塗料の種類は、塗料の塗布方式により適宜選択される。
【００５０】
また、遮光塗料により側面遮光部２１４および表面遮光部２１５を形成しているが、この構成に限定されない。側面遮光部２１４および表面遮光部２１５の少なくとも一方は、例えば、可視光を遮光する板状の部材を接着剤で貼り付けることにより形成してもよい。
【００５１】
上述の側面遮光部２１４および表面遮光部２１５を設けることにより保護フィルム２１１の側面からの光が確実に遮光される。この結果、保護フィルム２１１の表面にのみ光が入射して屈折し、その入射角と屈折角との間の関係は、スネルの法則により次の式で表される。
ｎｆ・Ｓｉｎ（Ｉｎ２）＝ｎａ・Ｓｉｎ（ｋ／２）                    ・・・式９
上式において、Ｉｎ２は、保護フィルム２１１の表面において屈折角がｋ／２になる際の入射角である。言い換えれば、表面において屈折した屈折光と表面に垂直な軸とのなす角度が視野角の半分になるときの入射角である。
【００５２】
式９は、次の式に変形することができる。
Ｉｎ２＝ＡｒｃＳｉｎ｛Ｓｉｎ（ｋ／２）／ｎｆ｝                  ・・・式１０
【００５３】
また、三角関数の公式により、次の式が導かれる。
Ｙ２＝Ｙ１−ｔｆ２・Ｔａｎ（Ｉｎ２）−ｔｐ・Ｔａｎ（ｋ／２）      ・・・式１１
上式において、ｔｐは、保護フィルム２１１の表面に対する表面遮光部２１５の高さ（言い換えれば、遮光塗料の膜厚）を示す。また、Ｙ２は、回り込み量を示す。高さｔｐおよび回り込み量Ｙ２の単位は、例えば、マイクロメートル（μｍ）である。なお、高さｔｐについては、「０」（μｍ）に近似して計算してもよい。
【００５４】
式１０および式１１から、次の式が導かれる。
【数２】
2015184431.tif 000004
上式より、フィルム膜厚ｔｆ１は、基板端距離Ｙ１が短いほど、視野角Ｖが大きいほど、屈折率ｎｆが大きいほど、もしくは、回り込み量Ｙ２が大きいほど薄い値に決定される。上式の示す値以下の膜厚とすることにより、表面遮光部２１５により画像の一部が欠ける現象（すなわち、ケラレ）の発生を抑制することができる。これにより、画質を向上させることができる。
【００５５】
このように、本技術の第２の実施の形態によれば、表面遮光部および側面遮光部を設けて、保護フィルムの回り込み量が大きいほど膜厚を薄くするため、側面からの発光とケラレとを抑制して画質を向上させることができる。
【００５６】
［変形例］
第２の実施の形態においては、表面遮光部２１５の回り込み量に基づいて保護フィルム２１１の膜厚を決定していたが、保護フィルム２１１の膜厚に基づいて回り込み量を決定することもできる。第２の実施の形態の変形例の表示装置１００は、保護フィルム２１１の膜厚に基づいて回り込み量が決定される点において第２の実施の形態と異なる。
【００５７】
変形例において、回り込み量Ｙ２は、式１２の関係に基づいて、次の式を満たす値に設定される。
【数３】
2015184431.tif 000005
上式においてＭは、マージンである。マージンＭの単位は、例えば、マイクロメートル（μｍ）である。例えば、１０（μｍ）がマージンＭとして設定される。
【００５８】
なお、式１３から回り込み量Ｙ２を求めているが、回り込み量Ｙ２およびフィルム膜厚ｔｆと式１２とに基づいて、基板端距離Ｙ１、視野角Ｖおよび屈折率ｎｆのいずれかを求めてもよい。
【００５９】
図９は、第２の実施の形態の変形例における回り込み量と視野角との間の関係の一例を示すグラフである。同図において、縦軸は、保護フィルム２１１の回り込み量Ｙ２であり、横軸は、視野角Ｖである。同図は、基板端距離Ｙ１を４００（μｍ）、保護フィルム２１１のフィルム膜厚ｔｆを１００（μｍ）、屈折率ｎｆを１．５３、表面遮光部２１５の高さｔｐを１０（μｍ）として、視野角Ｖごとに式１３より求めた、回り込み量Ｙ２の最大値をプロットしたものである。同図に示すように、視野角Ｖが大きいほど小さな回り込み量Ｙ２が設定される。
【００６０】
このように、第２の実施の形態の変形例によれば、保護フィルム２１１の膜厚に基づいて回り込み量を決定するため、側面からの発光とケラレとを抑制して画質を向上させることができる。
【００６１】
＜３．第３の実施の形態＞
第１の実施の形態においては、保護フィルム２１１の表面および側面に遮光部を設けていたが、それらの遮光部は、経年劣化や衝撃により剥離するおそれがある。遮光部の剥離を抑制するために、保護フィルム２１１の角取りにより、遮光部の接合面積を増加することが望ましい。第３の実施の形態の表示装置１００は、保護フィルム２１１の角取りを行って遮光部を設けた点において第１の実施の形態と異なる。
【００６２】
図１０は、第３の実施の形態における表示パネル２１０の断面の拡大図の一例である。基板端に最も近い発光素子２１１と基板端との間の特定の位置から基板端までの範囲の保護フィルム２１１において角取りにより角取り面が形成されている。その特定の位置から基板端までの距離を以下、「角取り距離」と称する。そして、この角取り面を遮光する角取り面遮光部２１６と側面遮光部２１４とが表示パネル２１０において設けられている。この角取り面遮光部２１６は、例えば、塗布装置が遮光塗料をローラーで塗布することにより形成される。なお、角取り面遮光部２１６は、インクジェット方式や、可視光を遮光する板状の部材を接着剤により貼り付ける方式により形成してもよい。
【００６３】
保護フィルム２１１の表面に対する角取り面遮光部２１６の高さをｔｐ'とし、角取り距離をＹ３とすると、式１２の右辺における高さｔｐおよび回り込み量Ｙ２をｔｐ'およびＹ３に置き換えることにより次の式に示すフィルム膜厚ｔｆ3が得られる。
【数４】
2015184431.tif 000006
上式より、フィルム膜厚ｔｆ3は、基板端距離Ｙ１が短いほど、視野角Ｖが大きいほど、屈折率ｎｆが大きいほど、もしくは、角取り距離Ｙ３が大きいほど薄い値に決定される。フィルム膜厚ｔｆ3を上式の示す値以下の膜厚とすることにより、ケラレの発生を抑制することができる。また、遮光部の剥離を抑制することができる。なお、高さｔｐ'は、「０」（μｍ）に近似して計算することもできる。
【００６４】
このように、本技術の第３の実施の形態によれば、表面遮光部および角取り面遮光部を設けて、角取り距離が大きいほど膜厚を薄くするため、遮光部の剥離を抑制し、画質を向上させることができる。
【００６５】
［変形例］
第３の実施の形態においては、角取り面遮光部２１６の角取り距離に基づいて保護フィルム２１１の膜厚を決定していたが、保護フィルム２１１の膜厚に基づいて角取り距離を決定することもできる。第２の実施の形態の変形例の表示装置１００は、保護フィルム２１１の膜厚に基づいて角取り距離が決定される点において第２の実施の形態と異なる。
【００６６】
変形例において、角取り距離Ｙ３は、式１５の関係に基づいて、次の式を満たす値に設定される。
【数５】
2015184431.tif 000007
【００６７】
なお、式１４から角取り距離Ｙ３を求めているが、角取り距離Ｙ３およびフィルム膜厚ｔｆと式１３とに基づいて、基板端距離Ｙ１、視野角Ｖおよび屈折率ｎｆのいずれかを求めてもよい。
【００６８】
このように、第３の実施の形態の変形例によれば、保護フィルム２１１の膜厚に基づいて角取り距離を決定するため、遮光部の剥離を抑制し、画質を向上させることができる。
【００６９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００７０】
なお、本技術は以下のような構成もとることができる。
（１）光を発する複数の発光素子が設けられたパネル基板と、
所定の屈折率の部材からなり、前記複数の発光素子のうち前記パネル基板の端部に最も近い発光素子から前記端部までの基板端距離と前記光の明るさが一定の基準を満たす視野のなす角度である視野角と前記屈折率とに応じた膜厚のフィルムと
を具備する表示パネル。
（２）前記膜厚は、前記基板端距離が短いほど薄い一定値に設定される
前記（１）記載の表示パネル。
（３）前記膜厚は、前記屈折率が大きいほど薄い一定値に設定される
前記（１）または（２）に記載の表示パネル。
（４）前記膜厚は、前記視野角が大きいほど薄い一定値に設定される
前記（１）から（３）のいずれかに記載の表示パネル。
（５）前記膜厚は、当該膜厚をｔｆ１とし、前記基板端距離をＹ１とし、前記屈折率をＮｆとし、前記視野角をＶとし、Ｖ・π／１８０により表される係数をｋとして
ｔｆ１≦Ｙ１・［−Ｓｉｎ｛（π−ｋ）／２｝］1/2／
［−ｎｆ＋Ｓｉｎ｛（π―ｋ）／２｝］1/2
の式により決定された値である
前記（１）から（４）のいずれかに記載の表示パネル。
（６）前記フィルムの側面を遮光する側面遮光部と、
前記フィルムの表面において前記発光素子と前記端部との間の特定の位置から前記端部までの範囲を遮光する表面遮光部と
をさらに具備する前記（１）から（５）のいずれかに記載の表示パネル。
（７）前記膜厚は、前記特定の位置から前記端部までの距離である回り込み量が大きいほど薄い一定値に設定される
前記（６）記載の表示パネル。
（８）前記膜厚は、当該膜厚をｔｆ２とし、前記基板端距離をＹ１とし、前記屈折率をＮｆとし、前記視野角をＶとし、Ｖ・π／１８０により表される係数をｋとし、前記回り込み量をＹ２として
ｔｆ２≦（Ｙ１−Ｙ２）・｛ｎｆ−Ｓｉｎ（ｋ／２）｝1/2／Ｓｉｎ（ｋ／２）
の式により決定された値である
前記（７）記載の表示パネル。
（９）前記膜厚は、当該膜厚をｔｆ２とし、前記基板端距離をＹ１とし、前記屈折率をＮｆとし、前記視野角をＶとし、Ｖ・π／１８０により表される係数をｋとし、前記回り込み量をＹ２とし、前記表面遮光部の高さをｔｐとして
ｔｆ２≦｛Ｙ１−Ｙ２＋ｔｐＴａｎ（ｋ／２）｝・｛ｎｆ−Ｓｉｎ（ｋ／２）｝1/2／
Ｓｉｎ（ｋ／２）
の式により決定された値である
前記（７）記載の表示パネル。
（１０）前記フィルムの側面を遮光する側面遮光部と、
前記発光素子と前記端部との間の特定の位置から前記端部までの範囲において角取りにより前記フィルムに形成された角取り面を遮光する角取り面遮光部と
をさらに具備する前記（１）から（９）のいずれかに記載の表示パネル。
（１１）前記膜厚は、前記特定の位置から前記端部までの距離である角取り距離が大きいほど薄い一定値に設定される
前記（１０）記載の表示パネル。
（１２）前記膜厚は、当該膜厚をｔｆ３とし、前記基板端距離をＹ１とし、前記屈折率をＮｆとし、前記視野角をＶとし、Ｖ・π／１８０により表される係数をｋとし、前記角取り距離をＹ２'として
ｔｆ≦（Ｙ１−Ｙ２'）・｛ｎｆ−Ｓｉｎ（ｋ／２）｝1/2／Ｓｉｎ（ｋ／２）
の式により決定された値である
前記（１１）記載の表示パネル。
（１３）前記膜厚は、当該膜厚をｔｆ３とし、前記基板端距離をＹ１とし、前記屈折率をＮｆとし、前記視野角をＶとし、Ｖ・π／１８０により表される係数をｋとし、前記角取り距離をＹ２'とし、前記フィルムの表面に対する前記角取り面遮光部の一端の高さをｔｐ'として、
ｔｆ≦｛Ｙ１−Ｙ２' ＋ｔｐ'Ｔａｎ（ｋ／２）｝・｛ｎｆ−Ｓｉｎ（ｋ／２）｝1/2／
Ｓｉｎ（ｋ／２）
の式により決定された値である
前記（１１）記載の表示パネル。
（１４）光を発する複数の発光素子が設けられたパネル基板と、所定の屈折率の部材からなり、前記複数の発光素子のうち前記パネル基板の端部に最も近い発光素子から前記端部までの基板端距離と前記光の明るさが一定の基準を満たす視野のなす角度である視野角と前記屈折率とに応じた膜厚のフィルムとをそれぞれが備える複数の表示パネルと、
前記複数の表示パネルを制御する制御部と
を具備する表示装置。
（１５）光を発する複数の発光素子が設けられたパネル基板と、所定の屈折率の部材からなり、前記複数の発光素子のうち前記パネル基板の端部に最も近い発光素子から前記端部までの基板端距離と前記光の明るさが一定の基準を満たす視野のなす角度である視野角と前記屈折率とに応じた膜厚のフィルムとをそれぞれが備える複数の照明パネルと、
前記複数の照明パネルを制御する制御部と
を具備する照明装置。
【符号の説明】
【００７１】
１００  表示装置
１１０  制御部
２００  表示部
２１０  表示パネル
２１１  保護フィルム
２１２  発光素子
２１３  パネル基板
２１４  側面遮光部
２１５  表面遮光部
２１６  角取り面遮光部
２２０  ベース基板
【図１】
2015184431.tif 000008
【図２】
2015184431.tif 000009
【図３】
2015184431.tif 000010
【図４】
2015184431.tif 000011
【図５】
2015184431.tif 000012
【図６】
2015184431.tif 000013
【図７】
2015184431.tif 000014
【図８】
2015184431.tif 000015
【図９】
2015184431.tif 000016
【図１０】
2015184431.tif 000017